(57)【要約】【課題】取付対象物に衝撃が加えられてもＩＣタグが壊れにくいＩＣタグの取付構造及びＩＣタグ付ラベルを提供する。【解決手段】ＩＣタグ１０を取付対象物１００に取り付けるＩＣタグの取付構造であって、シート状に形成されたＩＣタグ１０と、ＩＣタグ１０と取付対象物１００との間にＩＣタグ１０の一方の面部の略全面にわたって層状に設けられ、衝撃吸収性を有するウレタン系の材料により形成された衝撃吸収部２１とを備える構成としたから、取付対象物１００に加えられた衝撃が衝撃吸収部２１に吸収されるので、ＩＣタグ１０を衝撃から保護することができる。【選択図】図３
2007079831.tif 000002
【特許請求の範囲】
【請求項１】
ＩＣタグを取付対象物に取り付けるＩＣタグの取付構造であって、
シート状に形成された前記ＩＣタグと、
前記ＩＣタグと前記取付対象物との間に前記ＩＣタグの一方の面部の略全面にわたって層状に設けられ、衝撃吸収性を有するウレタン系の材料により形成された衝撃吸収部と
を備えるＩＣタグの取付構造。
【請求項２】
シート状に形成されたＩＣタグと、
前記ＩＣタグの一方の面部の略全面にわたって層状に貼付され、衝撃吸収性を有するウレタン系の材料により形成された衝撃吸収部と、
前記衝撃吸収部の前記ＩＣタグ貼付面部とは反対側の面部に設けられた接着剤層と、
前記接着剤層を保護する剥離紙層と
を備えるＩＣタグ付ラベル。
【発明の詳細な説明】
【技術分野】
【０００１】
本発明は、ＩＣタグを取付対象物に取り付けるＩＣタグの取付構造及びＩＣタグ付ラベルに関するものである。
【背景技術】
【０００２】
ＩＣタグは、ＲＦＩＤ（Radio Frequency Identification）とも称され、個体の識別が可能な情報を保持するＩＣチップを備え、この情報を無線通信によって非接触に読み取りできるようになっている。
このようなＩＣタグは、例えば商品梱包用のパレットに添付され、このパレットに積載される荷物の管理をパレット単位において行うことができるようにしたものが知られている（例えば、特許文献１参照）。
このＩＣタグは、全体的にシート状に形成されており、従来、パレットが樹脂系の材料によって形成されている場合は、パレットに対してその一方の面部が粘着剤によって貼り付けられていた。
【０００３】
しかし、パレットは、例えばフォークリフト等による取り扱いの際に衝撃が加えられることがあり、この衝撃による振動がＩＣタグに伝搬することによって、例えばＩＣチップがアンテナから離脱する等のトラブルが発生することがあった。
【０００４】
【特許文献１】特開平５−２４６０４号公報
【発明の開示】
【発明が解決しようとする課題】
【０００５】
本発明の課題は、取付対象物に衝撃が加えられてもＩＣタグが壊れにくいＩＣタグの取付構造およびＩＣタグ付ラベルを提供することである。
【課題を解決するための手段】
【０００６】
本発明は、以下のような解決手段により、前記課題を解決する。
請求項１の発明は、ＩＣタグを取付対象物に取り付けるＩＣタグの取付構造であって、シート状に形成された前記ＩＣタグと、前記ＩＣタグと前記取付対象物との間に前記ＩＣタグの一方の面部の略全面にわたって層状に設けられ、衝撃吸収性を有するウレタン系の材料により形成された衝撃吸収部とを備えるＩＣタグの取付構造である。
請求項２の発明は、シート状に形成されたＩＣタグと、前記ＩＣタグの一方の面部の略全面にわたって層状に貼付され、衝撃吸収性を有するウレタン系の材料により形成された衝撃吸収部と、前記衝撃吸収部の前記ＩＣタグ貼付面部とは反対側の面部に設けられた接着剤層と、前記接着剤層を保護する剥離紙層とを備えるＩＣタグ付ラベルである。
【発明の効果】
【０００７】
以上説明したように、本発明によれば、ＩＣタグと取付対象物との間に、衝撃吸収部を設けたから、取付対象物に衝撃が加えられても、この衝撃が衝撃吸収部によって吸収されるので、ＩＣタグに対する衝撃を緩和してＩＣタグを保護することができる。
【発明を実施するための最良の形態】
【０００８】
本発明は、取付対象物に衝撃が加えられてもＩＣタグが壊れにくいＩＣタグの取付構造およびＩＣタグ付ラベルを提供するという目的を、ＩＣタグとパレットとを接着する両面テープの基材層を、ウレタンフォームによって形成することによって実現する。
【実施例】
【０００９】
以下、図面等を参照して、本発明の実施例をあげて、さらに詳しく説明する。
図１は、本発明を適用したＩＣタグ付ラベルの実施例が備えられたパレットを示す全体斜視図である。図２は、図１のＩＣタグ付ラベルを示す平面図である。図３は、図２のＩＣタグ付ラベルのＡ―Ａ矢視断面図であり、（ａ）は全体の断面図、（ｂ）は、（ａ）の領域Ｂにおける拡大断面図である。
【００１０】
本実施例のパレット１００は、例えば種々の荷物を積載、梱包し、複数の工場等の間において流通されるものである。このパレット１００は、ＩＣタグ付ラベル１が設けられる取付対象物であり、ＩＣタグ付ラベル１によって個体の識別が可能とされる。
パレット１００は、例えばＰＰ、ＰＥ等の樹脂材料を用いて上方から見た平面形が略正方形状であるボード状に形成され、側面側には、例えばフォークリフトのフォークが挿入されるフォーク孔が設けられている。
また、パレット１００は、その一部の側面部の略中央部分を凹ませて形成されたＩＣタグ収容部１０１を備えており、このＩＣタグ収容部１０１の底面にＩＣタグ付ラベル１が貼付されている。
【００１１】
ＩＣタグ付ラベル１は、図３に示すように、ＩＣタグ１０、両面テープ２０、耐水性合成紙３０を備えている。
ＩＣタグ１０は、例えば１３．５６ＭＨｚの周波数帯域を用いた電磁誘導方式のものであり、図２に示すように、インレット１１、保護フィルム１２を備えている。このＩＣタグ１０は、全体的にシート状に形成されており、その厚さ方向寸法は、例えば略１１０μｍとなっている。
インレット１１は、インレット基材１３、アンテナ１４、ＩＣチップ１５を備えている。
インレット基材１３は、例えばＰＥＴ等の樹脂材料を用いて上方から見た平面形が略長方形であるシート状に形成されている。
アンテナ１４は、インレット基材１３の一方の面部の外周縁部に渦巻状に形成されたループアンテナである。このアンテナ１４は、例えば導電性を有するインクを使用した印刷によって形成される。
【００１２】
ＩＣチップ１５は、インレット基材１３のアンテナ１４が形成された面部に設けられている。アンテナ１４は、最も内周側の一部が切断されており、ＩＣチップ１５は、このアンテナ１４の切断部分の間に設けられ、図示しない電極がアンテナ１４に接続されている。このＩＣチップ１５は、パレット１００の個体の識別を可能にする、パレット固有の番号等の情報を保持している。
【００１３】
保護フィルム１２は、インレット１１に対し層状に重ねて設けられ、その平面形がインレット基材１３より各辺の長さ方向寸法が大きい略長方形状に形成されており、インレット１１は、この保護フィルム１２に収容される。
この保護フィルム１２は、図示しない接着層及び保護層をともに備える一対のフィルムからなり、互いの接着層が対向して配置され、インレット基材１３は、これらの間に挟み込まれている。この保護フィルム１２は、一対のフィルムが柔軟性を有する状態においてインレット１１を挟み込み、その後加熱されることによって、接着層に含まれる粘着剤が融解して互いに接着するとともに、常温において硬化するようになっている（いわゆる、ラミネート加工）。この保護フィルム１２の保護層は、例えばＰＰ、ＰＥ等の樹脂材料を用いて形成されている。
【００１４】
このＩＣタグ付ラベル１は、図３に示すように、ＩＣタグ１０の一方の面部（以下、「接着面部」という）に設けられた両面テープ２０によってパレット１００に貼付され、ＩＣタグ１０の他方の面部が、耐水性合成紙３０によってカバーされている。
【００１５】
両面テープ２０は、ＩＣタグ１０をパレット１００に接着させるものであり、シート状に形成され、その平面形がＩＣタグ１０（保護フィルム１２）より各辺の長さ方向寸法が大きい略長方形状とされている。この両面テープ２０は、基材層２１、粘着剤層２２、２３、剥離紙層２４を備えている。
基材層２１は、ウレタンフォームによって形成された衝撃吸収部であり、その厚さ方向寸法は、例えば略５０μｍとなっている。ウレタンフォームは、ウレタン系ゴム材料を発泡させたものであり、衝撃吸収性を有する材料である。なお、本明細書中、「衝撃吸収性を有する材料」とは、パレット１００に加えられた衝撃がＩＣタグ１０に伝搬する際にその衝撃を緩和する機能を備えた材料を意味し、具体的にはパレット１００よりも剛性の低い材料を意味する。
粘着剤層２２、２３は、アクリル系の粘着剤が基材層２１の両面部に塗布されて形成された接着剤層であり、その厚さ方向寸法は、例えば略２〜３μｍとなっている。アクリル系の粘着剤は、例えばゴム系の粘着剤等に比べ、耐水性に優れ、かつ、ＰＰ、ＰＥ等の樹脂材料に対して特に良好な接着性を有している。
これらの粘着剤層２２、２３は、図３に示すＩＣタグ付ラベル１のパレット１００への貼付状態において、一方の粘着剤層２２がパレット１００と基材層２１との間に設けられ、他方の粘着剤層２３が基材層２１とＩＣタグ１０との間に設けられている。
剥離紙層２４は、粘着剤層２２を保護するものであり、ＩＣタグ付ラベル１のパレット１００への貼付の際に剥離される。
【００１６】
耐水性合成紙３０は、ＩＣタグ１０の接着面部とは反対側の面部を保護するものであり、ポリエステルの樹脂材料によりシート状に形成され、その平面形は、各辺の長さ方向寸法が両面テープ２０と略同じとされた略長方形状となっている。また、この耐水性合成紙３０の厚さ方向寸法は、例えば略７５μｍとなっており、ＩＣタグ１０と対向する側の面部に粘着剤層３１を備えている。
粘着剤層３１は、耐水性を有しており、その厚さ方向寸法は、例えば２〜３μｍとなっている。なお、粘着剤層３１を形成する粘着剤の種類は、耐水性を有するものであれば特に限定されず、例えば両面テープ２０と同様にアクリル系の粘着剤であってもよいし、ゴム系の粘着剤であってもよい。
また、耐水性合成紙３０は、粘着剤層３１とは反対側の面部に図示しないコート紙層を備えている。このコート紙層は、樹脂材料によって形成され耐水性を備えるとともに、その面部に微小な凹凸面が形成されており、インクによる印刷、書き込み等が可能になっている。
【００１７】
ＩＣタグ１０は、接着面部が両面テープ２０の粘着剤層２２に、接着面部とは反対側の面部が耐水性合成紙３０の粘着剤層３１に貼付され、両面テープ２０と耐水性合成紙３０との間に収容される。このように、ＩＣタグ付ラベル１は、パレット１００を外側から見た場合に、耐水性合成紙３０、粘着剤層３１、ＩＣタグ１０、粘着剤層２３、基材層２１、粘着剤層２２が、この順に層状に重ねて設けられている。
また、両面テープ２０及び耐水性合成紙３０は、その略中央部分にＩＣタグ１０が貼り付けられ、ＩＣタグ１０の外周の全周を囲んで接着代が形成されている。これにより、ＩＣタグ１０は、これらの間に密閉されている。
【００１８】
次に、本実施例のＩＣタグ付ラベルの機能について説明する。
パレット１００は、その上面部に荷物が積載され、フォークリフト等によって移動されるが、例えばフォークリフトのフォークをパレット１００のフォーク孔に差し込む際等に、パレット１００に衝撃が加わる。
パレット１００に衝撃が加えられると、この衝撃によってパレット１００が加振され、この振動が両面テープ２０を介してＩＣタグ１０に伝搬する。
ここで、両面テープ２０は、衝撃吸収性を備えたアクリルフォームによって形成された基材層２１を備えており、パレット１００に加えられ、ＩＣタグ１０に伝搬する衝撃は、この基材層２１によって抑制される。
【００１９】
以上説明したように、本実施例のＩＣタグ付ラベルによれば、以下の効果を奏することができる。
（１）ＩＣタグ１０とパレット１００との間に、基材層２１を設けたから、パレット１００に衝撃が加えられても、ＩＣタグをこの衝撃から保護することができる。
（２）ＩＣタグ１０とパレット１００との接着に、アクリル系の粘着剤を使用したから、例えばパレット１００が屋外において使用され雨水等に晒されたとしても、ＩＣタグ１０の剥離が防止される。また、パレット１００、ＩＣタグ１０の保護フィルム１２は、ともにＰＰ、ＰＥ等の樹脂材料によって形成されており、ＩＣタグ１０の接着性が向上する。
（３）ＩＣタグ１０を耐水性合成紙３０と両面テープ２０との間に密閉したから、例えばパレット１００が屋外において使用され雨水等に晒されたとしても、ＩＣタグの故障を防止できる。
【００２０】
（変形例）
以上説明した実施例に限定されることなく、種々の変形や変更が可能であって、それらも本発明の均等の範囲内である。
（１）実施例において、ＩＣタグは、両面テープに設けられた粘着剤によって取付対象物に取り付けられたが、ＩＣタグの取付方法は、これに限らず、ＩＣタグと取付対象物との間に衝撃吸収部が設けられていれば他の方法であってもよい。例えば、ＩＣタグと取付対象物との間に（粘着剤を備えない）ウレタンシートを挟み込み、実施例の耐水性合成紙に設けられた粘着剤によってＩＣタグを取付対象物に取り付けてもよい。
（２）ＩＣタグ、衝撃吸収部の厚さ方向寸法は、実施例において示された数値に限定されず、任意に設定することができ、例えば、実施例におけるＩＣタグの保護フィルムを省略することによりＩＣタグを薄型化してもよい。
（３）実施例において、ＩＣタグは、その平面形が略長方形であったが、これに限らず、他の形状であってもよく、例えば略円形状であってもよい。
（４）実施例において、ＩＣタグは、ループアンテナを備える電磁誘導式のものであったが、これに限らず、他の種類のものであってもよく、例えばダイポールアンテナを備えるＵＨＦ方式のものであってもよい。
（５）実施例において、ＩＣタグの接着対象物は、樹脂製のパレットであったが、これに限らず、ＩＣタグを他の物に貼り付けてもよく、例えば樹脂製のコンテナやケース等に貼り付けてもよい。
【図面の簡単な説明】
【００２１】
【図１】本発明を適用したＩＣタグ付ラベルの実施例が備えられたパレットを示す全体斜視図である。
【図２】図１のＩＣタグ付ラベルを示す平面図である。
【図３】図２のＩＣタグ付ラベルのＡ−Ａ矢視断面図である。
【符号の説明】
【００２２】
１  ＩＣタグ付ラベル
１０  ＩＣタグ
２０  両面テープ
２１  基材層
２２、２３  粘着剤層
２４  剥離紙層
３０  耐水性合成紙
３１  粘着剤層
１００  パレット
【図１】
2007079831.tif 000003
【図２】
2007079831.tif 000004
【図３】
2007079831.tif 000005